(57)【要約】【課題】  製造コストの低減等を図る。【解決手段】  内部に撮像光学系が配置されたレンズ鏡筒２と、撮像光学系の光路を開閉し該撮像光学系に入射される光量を制御する光量制御羽根２６と、撮像光学系の光路となる透過孔４５ａを有し光量制御羽根を移動自在に支持するベース体４５とを設け、光量制御羽根を、基材として用いられたフィルムから成るベース部３４と、該ベース部に積層され少なくとも金属材料によって形成された金属層を有する多層被膜部４２と、該多層被膜部の一部を除いた部分に積層された遮光膜部４３とによって構成し、遮光膜部が積層されていない多層被膜部の部分を光量の調整を行う光量調整フィルター２９として形成し、光量調整フィルター以外の遮光膜部が積層された部分を入射光を遮る遮光部２８として形成した。【選択図】図４
2006126234.tif 000002
【特許請求の範囲】
【請求項１】
内部に撮像光学系が配置されたレンズ鏡筒と、
撮像光学系の光路を開閉し該撮像光学系に入射される光量を制御する光量制御羽根と、
撮像光学系の光路となる透過孔を有し上記光量制御羽根を移動自在に支持するベース体とを備え、
上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする撮像装置。
【請求項２】
撮像光学系の光路を開閉し該撮像光学系に入射される光量を制御する光量制御羽根と、
撮像光学系の光路となる透過孔を有し上記光量制御羽根を移動自在に支持するベース体とを備え、
上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする光量調整機構。
【請求項３】
撮像光学系の光路を開閉し該撮像光学系に入射される光量を制御する光量制御羽根であって、
基材として用いられたフィルムから成るベース部と、
該ベース部に積層され少なくとも金属材料によって形成された金属層を有する多層被膜部と、
該多層被膜部の一部を除いた部分に積層された遮光膜部とから成り、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする光量制御羽根。
【発明の詳細な説明】
【技術分野】
【０００１】
本発明は撮像装置、光量調整機構及び光量制御羽根についての技術分野に関する。詳しくは、光量調整フィルターを有する光量制御羽根を一体に形成して、製造コストの低減等を図る技術分野に関する。
【背景技術】
【０００２】
ビデオカメラやスチルカメラ等の撮像装置には、フォーカス制御やズーミングのための各種のレンズを光軸方向へ移動させる光量調整機構を備え、光量調整機構のアイリスを構成する光量制御羽根（絞り羽根）を撮像光学系の光軸に対して直交する面内において駆動モーターの駆動力によって移動させることにより光学系の光路を開閉し光量調整を行うようにしたものがある。
【０００３】
このような撮像装置にあっては、被写体からの戻り光の光量が大きすぎる場合等にＣＣＤ（Charge Coupled Device）等の撮像手段に入射される光の量を制御する必要があり、一般には、この光量調整が上記したアイリスに加え、ＮＤ（Neutral Density）フィルターと称される光量調整フィルターによっても行われる。
【０００４】
従来の光量制御羽根は、羽根本体となる遮光部と該羽根本体に形成された光量調整を行うための切欠部分を覆うように接着等により取り付けられた光量調整フィルターとによって構成され、光量調整フィルターが羽根本体と一体となって移動されることにより光量調整機能を発揮するようにされている。（例えば、特許文献１参照）。
【０００５】
【特許文献１】特開２００１−３５６３８６号公報
【発明の開示】
【発明が解決しようとする課題】
【０００６】
ところが、上記した従来の光量制御羽根にあっては、羽根本体と光量調整フィルターとを各別に形成し、羽根本体に光量調整フィルターを接着等により取り付けるようにしているため、その分、部品点数が多く、また、接着等の工程が必要とされ、製造時における工程数が多く製造コストが高いという問題がある。
【０００７】
そこで、本発明は、上記した問題点を克服し、製造コストの低減等を図る技術分野に関する。
【課題を解決するための手段】
【０００８】
本発明撮像装置は、上記した課題を解決するために、内部に撮像光学系が配置されたレンズ鏡筒と、撮像光学系の光路を開閉し該撮像光学系に入射される光量を制御する光量制御羽根と、撮像光学系の光路となる透過孔を有し上記光量制御羽根を移動自在に支持するベース体とを設け、上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、遮光膜部が積層されていない多層被膜部の部分を光量の調整を行う光量調整フィルターとして形成し、光量調整フィルター以外の遮光膜部が積層された部分を入射光を遮る遮光部として形成したものである。
【０００９】
本発明光量調整機構は、上記した課題を解決するために、撮像光学系の光路を開閉し該撮像光学系に入射される光量を制御する光量制御羽根と、撮像光学系の光路となる透過孔を有し上記光量制御羽根を移動自在に支持するベース体とを設け、上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、遮光膜部が積層されていない多層被膜部の部分を光量の調整を行う光量調整フィルターとして形成し、光量調整フィルター以外の遮光膜部が積層された部分を入射光を遮る遮光部として形成したものである。
【００１０】
本発明光量制御羽根は、上記した課題を解決するために、基材として用いられたフィルムから成るベース部と、該ベース部に積層され少なくとも金属材料によって形成された金属層を有する多層被膜部と、該多層被膜部の一部を除いた部分に積層された遮光膜部とから成り、遮光膜部が積層されていない多層被膜部の部分を光量の調整を行う光量調整フィルターとして形成し、光量調整フィルター以外の遮光膜部が積層された部分を入射光を遮る遮光部として形成したものである。
【００１１】
従って、本発明撮像装置、光量調整機構及び光量制御羽根にあっては、光量調整フィルターと羽根本体となる遮光部とが一体に形成される。
【発明の効果】
【００１２】
本発明撮像装置は、内部に撮像光学系が配置されたレンズ鏡筒と、撮像光学系の光路を開閉し該撮像光学系に入射される光量を制御する光量制御羽根と、撮像光学系の光路となる透過孔を有し上記光量制御羽根を移動自在に支持するベース体とを備え、上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、遮光膜部が積層されていない多層被膜部の部分を光量の調整を行う光量調整フィルターとして形成し、光量調整フィルター以外の遮光膜部が積層された部分を入射光を遮る遮光部として形成したことを特徴とする。
【００１３】
従って、遮光部と光量調整フィルターとにより構成された光量制御羽根が一体に形成されるため、部品点数が少ないと共に光量調整フィルターを遮光部に取り付けるという工程が必要なく、製造時における工程数が少なく製造コストの低減を図ることができる。
【００１４】
本発明光量調整機構は、撮像光学系の光路を開閉し該撮像光学系に入射される光量を制御する光量制御羽根と、撮像光学系の光路となる透過孔を有し上記光量制御羽根を移動自在に支持するベース体とを備え、上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、遮光膜部が積層されていない多層被膜部の部分を光量の調整を行う光量調整フィルターとして形成し、光量調整フィルター以外の遮光膜部が積層された部分を入射光を遮る遮光部として形成したことを特徴とする。
【００１５】
従って、遮光部と光量調整フィルターとにより構成された光量制御羽根が一体に形成されるため、部品点数が少ないと共に光量調整フィルターを遮光部に取り付けるという工程が必要なく、製造時における工程数が少なく製造コストの低減を図ることができる。
【００１６】
本発明光量制御羽根は、撮像光学系の光路を開閉し該撮像光学系に入射される光量を制御する光量制御羽根であって、基材として用いられたフィルムから成るベース部と、該ベース部に積層され少なくとも金属材料によって形成された金属層を有する多層被膜部と、該多層被膜部の一部を除いた部分に積層された遮光膜部とから成り、遮光膜部が積層されていない多層被膜部の部分を光量の調整を行う光量調整フィルターとして形成し、光量調整フィルター以外の遮光膜部が積層された部分を入射光を遮る遮光部として形成したことを特徴とする。
【００１７】
従って、遮光部と光量調整フィルターとにより構成された光量制御羽根が一体に形成されるため、部品点数が少ないと共に光量調整フィルターを遮光部に取り付けるという工程が必要なく、製造時における工程数が少なく製造コストの低減を図ることができる。
【発明を実施するための最良の形態】
【００１８】
以下に、本発明撮像装置、光量調整機構及び光量制御羽根を実施するための最良の形態を添付図面に従って説明する。以下に示す最良の形態は、本発明撮像装置をビデオカメラに適用し、本発明光量調整機構をこのビデオカメラに用いられた光量調整フィルターに適用し、本発明光量制御羽根をこのビデオカメラに用いられた光量制御羽根に適用したものである。尚、本発明の適用範囲はビデオカメラ又はビデオカメラに用いられたものに限られることはなく、本発明は、スチルカメラの他、動画撮影又は静止画撮影の機能を有する各種の撮像装置又はこれらの撮像装置に用いられた各種の光量調整機構及び光量制御羽根に適用することができる。
【００１９】
先ず、撮像装置（ビデオカメラ）の基本構成を説明する（図１参照）。
【００２０】
撮像装置１は、外筐として設けられたレンズ鏡筒２に所要の各部が配置されて成り、レンズ鏡筒２には、レンズ又はレンズ群３（図には単レンズとして簡略化して示す。）と、固体撮像素子等の撮像手段４と、光量調整機能を有する光量調整機構５とが設けられている。
【００２１】
光量調整機構５を構成する一対の光量制御羽根６、６は駆動モーター７の駆動力によって移動され、光量制御羽根６、６が移動されることにより光学系の光路が開閉される。駆動モーター７としては、例えば、ローターがステーターの内側に配置された所謂インナーローター型のモーターが用いられ、駆動モーター７の駆動力が光量制御羽根６、６に伝達されて該光量制御羽根６、６が移動される。
【００２２】
被写体からレンズ又はレンズ群３を通った光は、一対の光量制御羽根６、６として設けられた光量制御羽根やシャッター部材によって形成される開口を通して撮像手段４に入射される。尚、光量調整時には、光量制御羽根６、６が光軸ＯＬに直交する面内で並進移動されるが、本発明の適用においては、光量制御羽根の数や形状等の如何は問わず、１つ又は複数の光量制御羽根を用いた各種形態での実施が可能である。
【００２３】
次に、撮像装置の具体的な構成例について説明する（図２乃至図１１参照）。
【００２４】
撮像装置８のレンズ鏡筒９には、図２に示すように、被写体側から順に、対物レンズ１０、変倍レンズ１１、レンズ１２、光量調整機構１３、駆動モーター１４、フォーカスレンズ１５及び固体撮像素子１６が配置されている。
【００２５】
レンズ鏡筒９の内部には、光量調整機構１３を挟んで光軸ＯＬ方向における互いに反対側の位置に、それぞれ光軸ＯＬに対して平行なガイドバー１７、１７とガイドバー１８、１８が配置されている。
【００２６】
変倍レンズ１１はホルダー１９に保持されており、該ホルダー１９がガイドバー１７、１７に摺動自在に支持されている。ホルダー１９に保持された変倍レンズ１１は、変倍レンズ用駆動部２０の駆動力がホルダー１９に伝達されることにより光軸ＯＬに沿う方向へ移動される。
【００２７】
フォーカスレンズ１５はホルダー２１に保持されており、該ホルダー２１がガイドバー１８、１８に摺動自在に支持されている。ホルダー２１に保持されたフォーカスレンズ１５は、フォーカスレンズ用駆動部２２の駆動力がホルダー２１に伝達されることにより光軸ＯＬに沿う方向へ移動される。
【００２８】
固体撮像素子１６によって得られる画像出力は画像処理部２３に送出されて所定の処理が行われる。画像処理部２３は、制御等に必要な情報を演算処理部２４に送出したり、撮影画像をビユーファインダーやモニター等に送って表示させ、或いは、ユーザーの操作指示に従って画像情報等を記録媒体に記録させる。マイクロコンピュータ等を有する演算処理部２４は、制御部２５に制御指令信号を送出し、該制御部２５から駆動モーター１４、変倍レンズ用駆動部２０及びフォーカスレンズ用駆動部２２等に制御信号が入力されることによって各部が制御される。
【００２９】
光量調整機構１３は、図３に示すように、一対の光量制御羽根２６、２７を有しており、該光量制御羽根２６、２７が移動されることにより入射光量の調整が行われる。光量調整機構１３はレンズ鏡筒９の外周面から突出されることなく、レンズ鏡筒９の内部に組み込まれているため、他の部品との干渉の問題に煩わされることがなく、小型化やコンパクト化に好適である。
【００３０】
光量制御羽根２６は羽根本体となる遮光部２８とＮＤフィルターとして機能する光量調整フィルター２９とが一体に形成されて成る。
【００３１】
遮光部２８は主部３０と該主部３０の左右両端部からそれぞれ下方へ突出された突部３１、３１とから成る。光量制御羽根２６には下方に開口された開口用切欠２６ａが形成されている。
【００３２】
主部３０には、一方の側縁に上下に長い被案内孔３０ａが形成され、上端部に左右に長い摺動孔３０ｂが形成されている。
【００３３】
突部３１、３１にはそれぞれ上下に長い被案内孔３１ａ、３１ａが形成されている。
【００３４】
光量制御羽根２７は羽根本体となる部分のみから成り、主部３２と該主部３２の一方の側縁部から上方へ突出された突部３３とから成る。光量制御羽根２７には上方に開口された開口用切欠２７ａが形成されている。主部３２には、左右両側縁にそれぞれ上下に長い被案内孔３２ａ、３２ａが形成されている。
【００３５】
突部３３には上下に長い被案内孔３３ａが形成されている。突部３３の上端部には左右に長い摺動孔３３ｂが形成されている。
【００３６】
光量調整フィルター２９は、光量制御羽根２６の開口用切欠２６ａに位置されている。
【００３７】
以下に、光量制御羽根２６の層構成及び製造方法について説明する（図４乃至図９参照）。尚、光量調整フィルターは可動部材２６又は可動部材２７の何れか一方に設けられていればよいが、以下には、例として、光量調整フィルターが可動部材２６に設けられる場合を示す。
【００３８】
光量制御羽根２６の光量調整フィルター２９は、例えば、図４に示すように、基材として用いられるＰＥＴ（ポリエチレンテレフタレート）から成るフィルムであるベース部３４の両面に、それぞれ一酸化珪素又は二酸化珪素から成る密着層３５、３５、アルミニウム又はアルミニウム合金から成る金属層３６、３６、二酸化珪素から成る誘電体層３７、３７、ニオブから成るニオブ層３８、３８、二酸化珪素から成る誘電体層３９、３９、ニオブから成るニオブ層４０、４０及び二酸化珪素から成る誘電体層４１、４１が順次積層されて構成され、これらの各層により多層被膜部４２が形成されている。
【００３９】
光量制御羽根２６の遮光部２８は、多層被膜部４２の両面に、カーボンから成る遮光膜部４３、４３がそれぞれ積層されて構成されている。
【００４０】
多層被膜部４２の製造方法としては、図５に示すように、連続成膜装置１００によって、例えば、スパッタリングにより順次各層を積層して形成する。スパッタリングを用いた場合には、耐久性及び耐候性に優れた膜を形成することができる。
【００４１】
連続成膜装置１００は、ベース１０１上にそれぞれ配置された基材ローダー１０２、冷却ドラム１０３及び基材アンローダー１０４を有している。基材ローダー１０２と冷却ドラム１０３との間にはガイドローラー１０５、１０５が回転自在に支持され、冷却ドラム１０３と基材アンローダー１０４との間には、ガイドローラー１０６、１０６が回転自在に支持されている。
【００４２】
ベース部３４はテープ状に形成されて、基材ローダー１０２に巻回されており、ガイドローラー１０５、１０５を介して冷却ドラム１０３を周回するように巻回され、さらにガイドローラー１０６、１０６を介して基材アンローダー１０４に巻き取られる。
【００４３】
冷却ドラム１０３の周囲には、巻回されたベース部３４に対向する位置に、周方向において離隔してそれぞれデュアルカソード１０７、カソード１０８及びカソード１０９が配置されている。デュアルカソード１０７、カソード１０８及びカソード１０９には、それぞれＡＣ電源１１０、ＤＣ電源１１１及びＤＣ電源１１２が接続されている。
【００４４】
連続成膜装置１００にはガス導入路１１３が連結されている。また、連続成膜装置１００には排気路１１４が連結され、該排気路１１４の内部に排気速度調整用のコンダクタンスバルブ１１５が設けられている。排気路１１４には図示しない真空ポンプが接続されており、該真空ポンプによって連続成膜装置１００の内部の空気が排気路１１４を介して吸引され、連続成膜装置１００の内部が真空状態となるようにされている。
【００４５】
連続成膜装置１００において、例えば、デュアルカソード１０７に珪素を載置し、カソード１０８にアルミニウム又はアルミニウム合金を載置し、カソード１０９にニオブを載置し、所定の導入ガスを連続成膜装置１００の内部にガス導入路１１３を介して供給すると共に各電源１１０、１１１、１１２に電力を供給し、各ガイドローラー１０５、１０５、１０６、１０６による搬送速度を制御することによって、ベース部３４上に成膜される各層の膜厚を制御しながらスパッタリングによる成膜を順次行う。この成膜をベース部３４の両面に対して行うことによって、多層被膜部４２を形成する。
【００４６】
次に、マスキングフィルム４４、４４を用意する（図６参照）。マスキングフィルム４４は、例えば、ＰＥＴから成り、厚み方向における一方の面が粘着面として形成されている。マスキングフィルム４４は一定の幅を有する定幅部４４ａと該定幅部４４ａからそれぞれ同じ方向へ突出された突状部４４ｂ、４４ｂ、・・・とから成り、該突状部４４ｂ、４４ｂ、・・・は、例えば、先細りの形状に形成され、定幅部４４ａの長手方向において等間隔に位置されている。
【００４７】
マスキングフィルム４４、４４は多層被膜部４２の幅方向における一端部の両面に粘着されて取り付けられる。
【００４８】
次いで、溶液コーティングにより膜付けを行う（図７参照）。この膜付けは、図８に示すように、膜付け装置２００により行う。
【００４９】
膜付け装置２００は、ベース２０１上にそれぞれ配置された送りローダー２０２、乾燥炉２０３及び巻取ローダー２０４を有している。送りローダー２０２と乾燥炉２０３との間にはガイドローラー２０５、２０５、２０５が回転自在に支持され、乾燥炉２０３と巻取ローダー２０４との間には、ガイドローラー２０６、２０６が回転自在に支持されている。ガイドローラー２０５、２０５間には、塗工ヘッド２０７が配置されている。
【００５０】
送りローダー２０２には多層被膜部４２が巻回されており、送りローダー２０２から送られた多層被膜部４２がガイドローラー２０５、２０５、２０５、２０６、２０６を介して巻取ローダー２０４によって巻き取られる。
【００５１】
このとき塗工ヘッド２０７によって多層被膜部４２の主にマスキングフィルム４４が取り付けられていない部分にコーティング溶液が塗装される。コーティング溶液としては、例えば、カーボン含有のアクリル溶液が用いられる。コーティング溶液が塗装された多層被膜部４２は、乾燥炉２０３において乾燥されてアクリルが蒸発され、多層被膜部４２のマスキングフィルム４４が取り付けられていない部分にカーボンコーティング４３’が施される。
【００５２】
このカーボンコーティング４３’を多層被膜部４２の両面に対して行い、図９に示す切断部分（濃色で示す。）においてプレス成形によって打ち抜き、最後に取り付けられていたマスキングフィルム４４、４４を多層被膜部４２から剥がすことにより、光量制御羽根２６が形成される。カーボンコーティング４３’が施された部分は、遮光部２８として形成され、カーボンコーティング４３’が施されていない部分は、光量調整フィルター２９として形成される。打ち抜きは、被案内孔３０ａ、摺動孔３０ｂ及び被案内孔３１ａ、３１ａとして形成される部分についても同時に行う。
【００５３】
光量制御羽根２６、２７はそれぞれベース体４５に上下方向へ移動自在に支持される（図１０及び図１１参照）。
【００５４】
ベース体４５は縦長の略矩形状に形成され、略中央部に撮像光学系の光路となる透過孔４５ａを有し、光学系の光軸ＯＬが透過孔４５ａの中心を通る位置に設定されている。ベース体４５には円弧状を為す挿通孔４５ｂ、４５ｂが形成されている。
【００５５】
ベース体４５には前方へ突出された４つの案内ピン４６、４６、・・・が設けられている。
【００５６】
ベース体４５の３つの案内ピン４６、４６、４６は、それぞれ光量制御羽根２６の被案内孔３０ａ、３１ａ、３１ａに挿入されて摺動自在に係合される。また、ベース体４５の３つの案内ピン４６、４６、４６は、それぞれ光量制御羽根２７の被案内孔３２ａ、３２ａ、３３ａに挿入されて摺動自在に係合される。即ち、２つの案内ピン４６、４６は光量制御羽根２６の被案内孔３１ａ、３１ａと光量制御羽根２７の被案内孔３２ａ、３２ａとに係合され、別の案内ピン４６は光量制御羽根２６の被案内孔３０ａのみに係合され、また別の案内ピン４６は光量制御羽根２７の被案内孔３３ａのみに係合される。
【００５７】
ベース体４５に光量制御羽根２６、２７が支持された状態において、光量制御羽根２６、２７を閉塞するカバー体４７がベース体４５に取り付けられる（図１１参照）。カバー体４７は縦長の略矩形状に形成され、カバー体４７の中央部には大きな開口部４７ａが形成されている。カバー体４７がベース体４５に取り付けられた状態において、カバー体４７の開口部４７ａの中心とベース体４５の透過孔４５ａの中心とが光軸ＯＬ方向において一致される。
【００５８】
ベース体４５の後方には駆動モーター１４が配置される（図１０及び図１１参照）。駆動モーター１４はモーター軸１４ａが前後に延びる向きで配置されている。駆動モーター１４のモーター軸１４ａには回動アーム４８が固定されている。
【００５９】
回動アーム４８はアーム部４８ａと該アーム部４８ａの両端部に設けられた係合ピン４８ｂ、４８ｂとから成る。アーム部４８ａは、長手方向における中央部がモーター軸１４ａに固定され、該モーター軸１４ａの軸方向と直交する方向へ延びるように設けられている。係合ピン４８ｂ、４８ｂはアーム部４８ａから前方へ突出するように設けられている。
【００６０】
駆動モーター１４がベース体４５の後側に配置された状態においては、回動アーム４８の係合ピン４８ｂ、４８ｂがそれぞれベース体４５の挿通孔４５ｂ、４５ｂに挿通されて光量制御羽根２６、２７の摺動孔３０ｂ、３３ｂにそれぞれ摺動自在に係合される。
【００６１】
以下に、駆動モーター１４の回転に伴う光量制御羽根２６、２７の動作について説明する（図１２及び図１３参照）。尚、図１２及び図１３は、光量調整フィルター２９を省略して示している。
【００６２】
回動アーム４８の係合ピン４８ｂ、４８ｂがそれぞれ光量制御羽根２６、２７の摺動孔３０ｂ、３３ｂに係合されることにより、駆動モーター１４の回転に伴って回動アーム４８が回動されると、光量制御羽根２６、２７が案内ピン４６、４６、・・・に案内されて互いに離接する方向（上下方向）へ並進移動される。
【００６３】
このとき駆動モーター１４が一方の方向へ回転されると、図１２に示すように、光量制御羽根２６、２７が互いに離れる方向へ移動され、光量制御羽根２６、２７の開口用切欠２６ａ、２７ａによって形成される開口４９の面積が大きくなり透過孔４５ａが開放されていくことにより入射光量が増加する。逆に、回動アーム４８が、他方の方向へ回転されると、図１３に示すように、光量制御羽根２６、２７が互いに近づく方向へ移動され、光量制御羽根２６、２７の開口用切欠２６ａ、２７ａによって形成される開口４９の面積が小さくなり透過孔４５ａが閉塞されていくことにより入射光量が減少する。
【００６４】
従って、ベース体４５の透過孔４５ａを透過する光については、光量制御羽根２６、２７による開口４９の大きさによって光量調整が行われる。
【００６５】
また、光量制御羽根２６、２７が上記のように移動されるときには、この移動に伴って光量調整フィルター２９によってもベース体４５の透過孔４５ａが開閉される。従って、光量制御羽根２６の遮光部２８と光量制御羽根２７とによる他、光量調整フィルター２９によっても光量調整が行われる。
【００６６】
以上に記載した通り、撮像装置１にあっては、遮光部２８と光量調整フィルター２９とにより構成された光量制御羽根２６が一体に形成されるため、部品点数が少ないと共に光量調整フィルター２９を遮光部２８に取り付けるという工程が必要なく、製造時における工程数が少なく製造コストの低減を図ることができる。
【００６７】
尚、上記には、ベース部３４の両面に各層を積層して光量制御羽根２６を形成した例を示したが、光量調整フィルターはベース部３４の両面に各層が積層されて形成されるものに限られることはなく、各層がベース部３４の一方の面に形成されているものであってもよい。
【００６８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６９】
【図１】図２乃至図１３と共に本発明の最良の形態を示すものであり、本図は、撮像装置の基本構成を示す概念図である。
【図２】撮像装置の構成例を示す断面図である。
【図３】光量制御羽根の拡大正面図である。
【図４】図３のＩＶ−ＩＶ線に沿う拡大断面図である。
【図５】連続成膜装置を示す概略図である。
【図６】多層被膜部にマスキングフィルムが取り付けられた状態を示す拡大平面図である。
【図７】多層被膜部にコーティングが施された状態を示す拡大平面図である。
【図８】膜付け装置を示す概念図である。
【図９】プレス成形による切断位置を示す拡大平面図である。
【図１０】光量調整機構の分解斜視図である。
【図１１】光量調整機構の拡大斜視図である。
【図１２】図１３と共に光量制御羽根の動作を示すものであり、本図は透過孔が開放された状態を示す拡大正面図である。
【図１３】透過孔が閉塞された状態を示す拡大正面図である。
【符号の説明】
【００７０】
１…撮像装置、２…レンズ鏡筒、５…光量調整機構、６…光量制御羽根、８…撮像装置、９…レンズ鏡筒、２６…光量制御羽根、２８…遮光部、２９…光量調整フィルター、３４…ベース部、３６…金属層、４２…多層被膜部、４３…遮光膜部、４５…ベース体、４５ａ…透過孔
【図１】
2006126234.tif 000003
【図２】
2006126234.tif 000004
【図３】
2006126234.tif 000005
【図４】
2006126234.tif 000006
【図５】
2006126234.tif 000007
【図６】
2006126234.tif 000008
【図７】
2006126234.tif 000009
【図８】
2006126234.tif 000010
【図９】
2006126234.tif 000011
【図１０】
2006126234.tif 000012
【図１１】
2006126234.tif 000013
【図１２】
2006126234.tif 000014
【図１３】
2006126234.tif 000015
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
内部に撮像光学系が配置されたレンズ鏡筒と、
撮像光学系の光路を開閉し該撮像光学系に入射される光量を制御する光量制御羽根と、
撮像光学系の光路となる透過孔を有し上記光量制御羽根を移動自在に支持するベース体とを備え、
上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする撮像装置。
【請求項２】
撮像光学系の光路を開閉し該撮像光学系に入射される光量を制御する光量制御羽根と、
撮像光学系の光路となる透過孔を有し上記光量制御羽根を移動自在に支持するベース体とを備え、
上記光量制御羽根を、基材として用いられたフィルムから成るベース部と、該ベース部に積層され少なくとも金属材料によって形成された金属層を有する多層被膜部と、該多層被膜部の一部を除いた部分に積層された遮光膜部とによって構成し、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする光量調整機構。
【請求項３】
撮像光学系の光路を開閉し該撮像光学系に入射される光量を制御する光量制御羽根であって、
基材として用いられたフィルムから成るベース部と、
該ベース部に積層され少なくとも金属材料によって形成された金属層を有する多層被膜部と、
該多層被膜部の一部を除いた部分に積層された遮光膜部とから成り、
遮光膜部が積層されていない多層被膜部の部分を光量の調整を行う光量調整フィルターとして形成し、
光量調整フィルター以外の遮光膜部が積層された部分を入射光を遮る遮光部として形成した
ことを特徴とする光量制御羽根。
【請求項４】
テープ状に形成されたＰＥＴ等のフィルムから成るベース部の両面にスパッタ等で膜を形成後、部分的にマスキングを施した後、アクリル等をコーティング溶液としてカーボンコーティングを行い、それをプレスして必要な形状に打ち抜き、上記カーボンコーティングが施された部分を遮光部として形成し、カーボンコーティングが施されていない部分は光量調整フィルターとして形成する
ことを特徴とする光量制御羽根の製造方法。
【手続補正３】
【補正対象書類名】明細書
【補正対象項目名】０００１
【補正方法】変更
【補正の内容】
【０００１】
本発明は撮像装置、光量調整機構、光量制御羽根及び光量制御羽根の製造方法についての技術分野に関する。詳しくは、光量調整フィルターを有する光量制御羽根を一体に形成して、製造コストの低減等を図る技術分野に関する。
【手続補正４】
【補正対象書類名】明細書
【補正対象項目名】０００２
【補正方法】変更
【補正の内容】
【０００２】
ビデオカメラやスチルカメラ等の撮像装置には、フォーカス制御やズーミングのための各種のレンズを光軸方向へ移動させるレンズ移動機構と光量調整用のアイリスとを備え、光量調整機構のアイリスを構成する光量制御羽根（絞り羽根）を撮像光学系の光軸に対して直交する面内において駆動モーターの駆動力によって移動させることにより光学系の光路を開閉し光量調整を行うようにしたものがある。
【手続補正５】
【補正対象書類名】明細書
【補正対象項目名】００１０
【補正方法】変更
【補正の内容】
【００１０】
本発明光量制御羽根は、上記した課題を解決するために、基材として用いられたフィルムから成るベース部と、該ベース部に積層され少なくとも金属材料によって形成された金属層を有する多層被膜部と、該多層被膜部の一部を除いた部分に積層された遮光膜部とから成り、遮光膜部が積層されていない多層被膜部の部分を光量の調整を行う光量調整フィルターとして形成し、光量調整フィルター以外の遮光膜部が積層された部分を入射光を遮る遮光部として形成したものである。また、本発明光量制御羽根の製造方法は、テープ状に形成されたＰＥＴ等のフィルムから成るベース部の両面にスパッタ等で膜を形成後、部分的にマスキングを施した後、アクリル等をコーティング溶液としてカーボンコーティングを行い、それをプレスして必要な形状に打ち抜き、上記カーボンコーティングが施された部分を遮光部として形成し、カーボンコーティングが施されていない部分は光量調整フィルターとして形成するものである。
【手続補正６】
【補正対象書類名】明細書
【補正対象項目名】００１１
【補正方法】変更
【補正の内容】
【００１１】
従って、本発明撮像装置、光量調整機構、光量制御羽根及び光量制御羽根の製造方法にあっては、光量調整フィルターと羽根本体となる遮光部とが一体に形成される。
【手続補正７】
【補正対象書類名】明細書
【補正対象項目名】００１６
【補正方法】変更
【補正の内容】
【００１６】
本発明光量制御羽根は、撮像光学系の光路を開閉し該撮像光学系に入射される光量を制御する光量制御羽根であって、基材として用いられたフィルムから成るベース部と、該ベース部に積層され少なくとも金属材料によって形成された金属層を有する多層被膜部と、該多層被膜部の一部を除いた部分に積層された遮光膜部とから成り、遮光膜部が積層されていない多層被膜部の部分を光量の調整を行う光量調整フィルターとして形成し、光量調整フィルター以外の遮光膜部が積層された部分を入射光を遮る遮光部として形成したことを特徴とする。また、本発明光量制御羽根の製造方法は、テープ状に形成されたＰＥＴ等のフィルムから成るベース部の両面にスパッタ等で膜を形成後、部分的にマスキングを施した後、アクリル等をコーティング溶液としてカーボンコーティングを行い、それをプレスして必要な形状に打ち抜き、上記カーボンコーティングが施された部分を遮光部として形成し、カーボンコーティングが施されていない部分は光量調整フィルターとして形成することを特徴とする。
【手続補正８】
【補正対象書類名】明細書
【補正対象項目名】００１８
【補正方法】変更
【補正の内容】
【００１８】
以下に、本発明撮像装置、光量調整機構、光量制御羽根及び光量制御羽根の製造方法を実施するための最良の形態を添付図面に従って説明する。以下に示す最良の形態は、本発明撮像装置をビデオカメラに適用し、本発明光量調整機構をこのビデオカメラに用いられた光量調整フィルターに適用し、本発明光量制御羽根をこのビデオカメラに用いられた光量制御羽根に適用したものである。尚、本発明の適用範囲はビデオカメラ又はビデオカメラに用いられたものに限られることはなく、本発明は、スチルカメラの他、動画撮影又は静止画撮影の機能を有する各種の撮像装置又はこれらの撮像装置に用いられた各種の光量調整機構及び光量制御羽根に適用することができる。
【手続補正９】
【補正対象書類名】図面
【補正対象項目名】図１２
【補正方法】変更
【補正の内容】
【図１２】
2006126234.tif 000016
【手続補正１０】
【補正対象書類名】図面
【補正対象項目名】図１３
【補正方法】変更
【補正の内容】
【図１３】
2006126234.tif 000017